(57)【要約】  【課題】表示板を取り外したり取り付けたりすることなく、簡単、かつ迅速に表示板の方向を変更する。  【解決手段】表示板１回動可能に軸支する支軸４と、支軸４に伴って回動する支持板５と、当該支持板５に嵌脱可能に嵌合して表示板１を保持する保持部材６と、当該保持部材６の嵌脱操作を行う操作部７を備えた。  【選択図】図１
2005282237.tif 000002
【特許請求の範囲】
【請求項１】
上方から表示板によって車道と車道外の境界を示す道路境界視線誘導表示機において、
表示板の方向を変更可能に支持する変更手段を備え、
前記変更手段は、表示板を回動可能に軸支する支軸と、当該支軸に伴って回動する支持板と、当該支持板に嵌脱可能に嵌合して表示板を保持する保持部材と、当該保持部材の嵌脱操作を行う操作部を備えていることを特徴とする道路境界視線誘導表示機。
【請求項２】
前記保持部材は、前記支持板と嵌合する方向に付勢されていることを特徴とする請求項１に記載の道路境界視線誘導表示機。
【発明の詳細な説明】
【技術分野】
【０００１】
本発明は、上方から表示板によって車道と車道外の境界を示す道路境界視線誘導表示機に関する。
【背景技術】
【０００２】
上方から表示板によって車道と車道外の境界を示す道路境界視線誘導表示機に関連する先行技術文献情報としては、たとえば下記のものがある。
【特許文献１】実開昭５８−１７８６３４号（第２ページ〜第３ページ、図１および図６）
【特許文献２】実公平４−４２３３８号（第２ページ図１〜図３）
【発明の開示】
【発明が解決しようとする課題】
【０００３】
この道路境界視線誘導表示機は、積雪によって車道と車道外の境界が確認できない場合に、表示板によって境界を表示するものであり、また、降雪時以外にも道路のカーブ状態を表示板によって表示するものである。
ところで、道路境界視線誘導表示機は、道路によって積雪時における境界表示以外に不要である場合があり、たとえば、見渡しがよい直線道路であれば、積雪がない状態においては道路境界視線誘導表示機が不要である。  
逆に、積雪がなく見渡しがよい直線道路に道路境界視線誘導表示機が設置されていると、表示板がドライバーの視線に入るため運転の邪魔になることがある。
そのため、積雪がない季節においては、道路境界視線誘導表示機の表示板を取り外すことが想定される。
しかしながら、季節ごとに道路境界視線誘導表示機の表示板を取り外したり取り付けたりするのは、その設置本数から見ても現実的ではない。
【０００４】
そこで、本発明は、季節ごとに表示板を取り外したり取り付けたりすることなく、簡単、かつ迅速に表示板の方向を変更することを課題とし、この課題を解決する道路境界視線誘導表示機の提供を目的とする。
【課題を解決するための手段】
【０００５】
前記目的を達成するために、本発明が採用した技術的手段は、上方から表示板によって車道と車道外の境界を示す道路境界視線誘導表示機において、表示板の方向を変更可能に支持する変更手段を備え、前記変更手段は、表示板を回動可能に軸支する支軸と、当該支軸に伴って回動する支持板と、当該支持板に嵌脱可能に嵌合して表示板を保持する保持部材と、当該保持部材の嵌脱操作を行う操作部を備えた道路境界視線誘導表示機にしたことである。（請求項１）
【０００６】
本発明でいう表示板の方向とは、道路境界やカーブ状態を示す表示方向と、ドライバーから視覚できない方向または視覚しにくい非表示方向である。
道路境界やカーブ状態を示す表示方向とは、ドライバーの進行方向と略対面する方向であり、ドライバーから視覚できない方向または視覚しにくい方向とは、略上向きまたは下向き、あるいは横向きである。
また、保持部材の支持板に対する嵌脱の構造は、たとえば、支持板に孔部や凹部、さらには嵌合溝等の嵌合部を設け、当該嵌合部に保持部材を嵌脱させる構造が挙げられる。
この場合、支持板に設けられた孔部や凹部の位置は、前記した表示板の２つの方向のそれぞれで、前記保持部材が嵌脱可能な位置である。
また、操作部は、前記保持部材を嵌脱操作可能な形態であればよい。
【０００７】
前記保持部材の嵌脱操作の容易性向上および保持状態の確実性向上の観点から、保持部材に対して、前記支持板と嵌合する方向に付勢することが好ましい。（請求項２）
【発明の効果】
【０００８】
本発明は、以上の構成により、下記の効果が期待できる。
請求項１の発明によれば、季節ごとに表示板を取り外したり取り付けたりすることなく、簡単、かつ迅速に表示板の方向を変更することができる。
また、請求項２の発明によれば、保持部材の嵌脱操作の容易性向上および保持状態の確実性向上が実現する。
【発明を実施するための最良の形態】
【０００９】
以下、本発明の実施の形態を図１ないし図４に基づいて説明する。
本実施例の道路境界視線誘導表示機Ａは、表示板１と、表示板１を支持する変更手段２と、変更手段２をポールＢに固定する固定部３から構成されている。
また、本実施例の道路境界視線誘導表示機Ａは、変更手段２により、表示板１をドライバーの進行方向と略対面する表示方向（図１（ｂ））と、表示板１をドライバーから視覚できないまたは視覚しにくい略上向きとする非表示方向とに変更するようにされている。
【００１０】
表示板１は、周知の下向き矢印のものであり、長手方向に沿って交互に異なる着色が施されているものである。
【００１１】
変更手段２は、図２ないし図３に示すように、表示板１を回動可能に軸支する支軸４と、支軸４に伴って回動する支持板５と、当該支持板５に嵌脱可能に嵌合して表示板１を保持する保持部材６と、当該保持部材６の嵌脱操作を行う操作部７を備えてなる。
【００１２】
支軸４は、固定部３に固着された軸支板４１，４２に亘って回動可能に支持されている。
また、支軸４には前記表示板１を連結するための連結板４３が一体に固定されており、この連結板４３に前記表示板１を連結することによって、表示板１を図１（ａ）から図１（ｂ）方向に回動可能に支持している。
【００１３】
支持板５は、略扇形に形成され、この扇形の要となる部位を前記支軸４に連結することによって、前記表示板１の回動に伴って回動するようにしている。
また、支持板５には、前記保持部材６が嵌合状に嵌合する２個の嵌合孔５１，５２が形成されている。
嵌合孔５１は、表示板１が非表示状態であるときに、保持部材６が嵌合する位置に設けられており、嵌合孔５２は、表示板１が表示状態であるときに、保持部材６が嵌合する位置に設けられている。
【００１４】
保持部材６は、図４に示すように、前記嵌合孔５１，５２に嵌脱可能に支持されたスライド軸６１と、当該スライド軸をスライド可能に支持する支持パイプ６２と、当該支持パイプ６２内に内蔵されたスプリング６３とから構成されている。
スライド軸６１は、支持パイプ６２内を前後スライドすることによって、前記嵌合孔５１，５２に嵌脱し、嵌合状態において支持板５の回動を阻止することによって表示板の方向を保持し、嵌合解除状態において支持板５が回動可能となって表示板の方向を変更することができるようにしてある。
支持パイプ６２は、前記軸支板４２に貫通固定されている。
スプリング６３は、スライド軸６１と支持パイプ６２との間で伸縮するとともに、スライド軸６１を嵌合方向へ付勢するように設けられている。
【００１５】
操作部７は、図４に示すように、略Ｌ型の操作杆７１と、当該操作杆７１の一端側に設けられた指掛け環７２とから構成されている。
操作杆７１の他端側は、スライド軸６１の一端に軸支され、また、操作杆のコーナーとなる部位に、前記支持パイプ６２に固着された軸支部７３に軸支されていて、当該軸支部７３における支軸７３１を中心とする回動によって、スライド軸６１を前後方向にスライドさせるようにしている。
また、操作杆７１の他端側には、スライド軸６１に軸支するための支軸７３２を嵌合する長孔７４が形成されており、この長孔７４によって、操作杆７１の回動とスライド軸６１の直線動による軸支中心のずれを吸収するようにしている。
【００１６】
以下、前記構成による表示板１の方向変更動作を説明する。
まず、操作杆７１を下方に下げるようにして回動させると、この回動に伴ってスライド軸６１が後退して嵌合孔５１に対する嵌合が解除される。
スライド軸６１の嵌合孔５１に対する嵌合が解除されると、表示板１が回動可能となる。
表示板１を回動させるときには、回動当初において、操作杆７１における指掛け部７２を持ってスライド軸６１の後退状態を保持しておく。
そして、嵌合孔５１とスライド軸６１が嵌合不可能となった位置において、操作杆７１における指掛け部７２を離すと、スプリング６３の付勢力でスライド軸６１が前進し、当該スライド軸６１の先端が支持板５の表面に接触するので、嵌合解除状態が保持されて表示板１の回動が行える。
さらに、前記嵌合解除状態から表示板１を回動すると、前記嵌合孔５２がスライド軸６１との嵌合位置に至ると同時に、前記スプリング６３の付勢力によってスライド軸６１が前進して嵌合孔５２に嵌合するとともに、表示板１の方向が変更される。
スライド軸６１が嵌合孔５２に嵌合すると、表示板１の回動が阻止されて、表示板１の方向が保持される。
【００１７】
したがって、本実施例の道路境界視線誘導表示機Ａは、表示板を取り外したり取り付けたりすることなく、簡単、かつ迅速に表示板の方向を変更することができるとともに、保持部材の嵌脱操作の容易性向上および保持状態の確実性向上が実現する。
【００１８】
なお、本発明は、例示した実施の形態に限定するものではなく、特許請求の範囲の各項に記載された内容から逸脱しない範囲での他の構成による実施が可能である。
【図面の簡単な説明】
【００１９】
【図１】本発明に係る道路境界視線誘導表示機の一例を示し、（ａ）は非表示状態、（ｂ）は表示状態を示す。
【図２】図１の要部拡大図。
【図３】図１の要部平面図。
【図４】図３の（３）―（３）線断面図。
【符号の説明】
【００２０】
Ａ：道路境界視線誘導表示機
１：表示板
２：変更手段
４：支軸
５：支持板
６：保持部材
７：操作部
５１：嵌合孔
５２：嵌合孔
６１：スライド軸
６２：支持パイプ
６３：スプリング
７１：操作杆
７２：指掛け環
【図１】
2005282237.tif 000003
【図２】
2005282237.tif 000004
【図３】
2005282237.tif 000005
【図４】
2005282237.tif 000006